(57)【要約】【課題】簡単な構成で、磁気化券を発行可能である装置においても媒体に印刷してある情報を容易に確認することができる装置を提供する。【解決手段】装置２１の待機時におけるロール紙１２の先端部１２ｃに対向する位置にプリズム２４を設けた。ロール紙１２の先端部１２ｃには通番が印刷されている。また装置２１の外部筐体に窓部を設け、プリズム２４はロール紙１２の先端部１２ｃに対向する位置と窓部との間に配設される。窓部から覗くとロール紙１２の通番が正立状態に目視できる。【選択図】  図１
2007125805.tif 000002
【特許請求の範囲】
【請求項１】
収納してある媒体に一定の処理を施して排出する媒体取扱装置において、
装置の外側に窓部を設け、
前記媒体の一部に対向する位置と前記窓部との間に光通路を形成することにより前記窓部から前記媒体の一部を目視可能としたことを特徴とする媒体取扱装置。
【請求項２】
前記光通路は、前記媒体の一部からの光を前記窓部方向に方向転換する部分を有する請求項１記載の媒体取扱装置。
【請求項３】
前記媒体の一部には媒体の管理情報が記載されており、前記光通路は前記管理情報を目視位置において正立状態に変換する請求項２記載の媒体取扱装置。
【請求項４】
前記光通路はプリズムで構成される請求項３記載の媒体取扱装置。
【請求項５】
前記媒体の一部に光を照射する光照射手段を設けた請求項３または４記載の媒体取扱装置。
【請求項６】
前記光照射手段は、オンオフ操作可能である請求項５記載の媒体取扱装置。
【請求項７】
前記媒体の残量を検出する残量検出手段を有し、
前記残量検出手段により媒体の残量が少ないことが検出されると、前記光照射手段は照射色を変える請求項５記載の媒体取扱装置。
【発明の詳細な説明】
【技術分野】
【０００１】
本発明は、鉄道等で使用する券発行装置等の媒体取扱装置に関し、とくに媒体を収納しておき、媒体に対して一定の処理を行って排出する媒体取扱装置に関する。
【背景技術】
【０００２】
従来、媒体取扱装置としての例えば鉄道等で使用する券発行装置においては、券の原紙となるロール紙を装置内に収納しておき、券発行の要求があった場合に、ロール紙を繰り出して所定の長さ（券１枚分の長さ）に切断し、さらに切断したものに印刷を行って券として排出することにより券発行をしている。この種の装置では、ロール紙の管理をロール紙印刷した通番により行っている。即ち、ロール紙に予め券１枚分毎に通番を印刷しておき、現在の先頭の番号を確認することにより、ロール紙の残量を確認する。このような通番の確認は、例えば駅係員が交代するときに行われる。
【０００３】
このような券発行装置として、例えば図８に示すものがある。図８において、券発行装置１は磁気化していない券を発行するもので、券の原紙となるロール紙２が繰り出し可能に収納され、印字部３およびカッタ部４が設けられている。印字部３には、印字を行う印字ヘッド５、印字ヘッド５に対向して配置されるプラテン６およびインクリボン７が設けられている。
【０００４】
券発行装置１の待機状態においては、ロール紙２の先端部２ａは印字ヘッド５とプラテン６の間に位置している（図中太線で示す部分がロール状態から引き出された部分である。）。券を発行する場合は、この状態からロール紙２を搬送しながら印字部３で所定事項の印字を行い、カッタ部４で１枚分の長さに切断して排出部８から排出する。
【０００５】
また通番の確認を行なう場合は、係員が所定の操作ボタンを押下すると、待機状態からロール紙２が排出部８の方向に搬送され、ロール紙２の先端部分２ａが排出部８から外部へ出され、ロール紙２に印刷してある通番が目視可能になる。なおこのとき印字および切断は行われない。確認が終わるとロール紙２は逆方向に搬送され、元の待機位置に戻される。この種の装置においては、ロール紙２の少しの搬送移動で通番が目視可能となっている。
【０００６】
しかしながら、磁気化券を発行する装置においては、印字のほかに磁気記録を必要とするために、上記のような方法で通番の確認を行うことはできない。磁気化券を発行可能な券発行装置を図９に示す。
【０００７】
図９において、券発行装置１１には、磁気化してある券の原紙となるロール紙１２が繰り出し可能に収納され、印字部３およびカッタ部４のほかに、磁気記録部１３が設けられている。磁気記録部１３には書き込み用の磁気ヘッド１４と読み取り用の磁気ヘッド１５が設けられている。なおカッタ部４は、排出部８の近傍ではなく、磁気記録部１３に対してロール紙１２の搬送方向上流側に設けられている。
【０００８】
券発行装置１１の待機状態においては、ロール紙１２の先端部１２ａはカッタ部４の手前に位置している。券を発行する場合は、この状態からロール紙１２を搬送してカッタ部４で１枚分の長さに切断し、切断された券をさらに磁気記録部１３へ搬送して磁気記録を行うと共に、さらに印字部３で所定事項の印字を行い、排出部８から排出する。
【０００９】
この種の装置においては、待機時におけるロール紙１２の先端部１２ａの位置が、排出部８から遠く離れているので、１枚分だけ装置外へ露出させ、通番を確認後元の位置に戻す動作はできなかった。
【００１０】
通番の確認を他の方法で行うことも提案されている。例えば特開２００１−１３００７１号公報には、券片に予め印刷しておいた券片情報を読取る手段（券片情報リーダ）を設け、発券の際に券片情報リーダにより券片情報を読み取り、読み取った情報に基づいてニアエンドであるかエンドであるかを判別するようにしたものが開示されている。
【特許文献１】特開２００１−１３００７１号公報
【発明の開示】
【発明が解決しようとする課題】
【００１１】
磁気化券を発行可能である装置において、媒体に印刷してある情報を容易に確認することは、上記文献に開示される読み取り手段（券片情報リーダ）を設けることにより実現可能であるが、読み取り手段を新たに設けるとコストの高い装置になる。本発明の課題は、簡単な構成で、磁気化券を発行可能である装置においても媒体に印刷してある情報を容易に確認することができる装置を提供することにある。
【課題を解決するための手段】
【００１２】
上記課題を解決するために、本発明は、収納してある媒体に一定の処理を施して排出する媒体取扱装置において、前記媒体の一部に対向する位置と前記窓部との間に光通路を形成することにより前記窓部から前記媒体の一部を目視可能としたものである。さらに前記光通路は、媒体の一部からの光を窓部方向に方向転換する部分を有するようにした。
【００１３】
また前記媒体の一部は媒体の管理情報が記載されたものであり、前記光通路を前記管理情報を目視位置において正立状態に変換するように構成すると良好な目視が得られる。
【発明の効果】
【００１４】
上記構成の本発明によれば、媒体の一部に対向する位置と装置の外側に設けた窓部との間に光通路を形成したことにより、装置の外部から媒体の一部を目視することが可能になり、媒体に印刷してある情報を容易に確認することができる効果を奏する。
【発明を実施するための最良の形態】
【００１５】
以下、本発明を実施するための形態を図面に従って説明する。図１は本発明の第１の実施の形態の券発行装置を示す概略構成図である。なお以下に説明する実施の形態では媒体取扱装置として券発行装置を例に説明する。
【００１６】
図１において、券発行装置２１には、磁気化してある券の原紙となるロール紙１２が繰り出し可能に収納され、ほかに印字部３、カッタ部４および磁気記録部１３が設けられている。磁気記録部１３には書き込み用の磁気ヘッド１４と読み取り用の磁気ヘッド１５が設けられている。印字部３には、印字を行う印字ヘッド５、印字ヘッド５に対向して設けられるプラテン６およびインクリボン７が設けられている。
【００１７】
ロール紙１２が収納されている収納部２２と券が排出される排出部８との間には搬送路２３が形成され、カッタ部４、磁気記録部１３、印字部３はそれぞれ搬送路２３に沿って配設されている。カッタ部４は収納部２２と磁気記録部１３の間に配設されており、収納部２２から引き出されたロール紙１２の先端部１２ａは、装置２１の待機時においてカット部４の近傍に位置している（図中太線で示す部分がロール状態から引き出された部分である。）。カット部４の近傍には、ロール紙１２の先端部１２ａに対向して、光通路を形成するプリズム２４が配設されている。プリズム２４については後述する。
【００１８】
図２、図３に通番が印刷されたロール紙を示す。図２、図３において、ロール紙１２は外側に磁気面１２ｂを有し、内側に印字面１２ｃを有し、印字面１２ｃは券１枚分毎に分かれている。各印字面１２ｃには図３に示すように、券の通番２５が印刷されており、印字面１２ｃの外側にはカットマーク２６が印刷されている。通番２５はロール紙１２の残量を管理するための情報で、本発明ではこの通番２５を装置２１の外部から目視可能とする。上記のプリズム２４は、少なくともこの通番２５の位置に対向して配設されている。
【００１９】
図４はプリズムおよびロール紙を示す斜視図である。図４において、プリズム２４は、透明のアクリル樹脂で形成されたもので、入射面２４ａ、第１反射面２４ｂ、第２反射面２４ｃおよび目視面２４ｄを有する。入射面２４ａは、待機時におけるロール紙１２に印刷された通番２５に対向した位置にある。第１反射面２４ｂは入射面２４ａから入射された光を下方に反射させる。第２反射面２４ｃは上方から来た光を目視面２４ｄ方向に反射させる。目視面２４ｄに対向する位置には装置２１の外側筐体に形成された窓部２７が設けられている。
【００２０】
図５はプリズムにおける反射状態を示す説明図、図６はプリズムの三面図である。図５、図６において、プリズム２４の入射面２４ａには、通番２５はロール紙１２上と同様に縦方向の状態で入射し、第１反射面２４ｂには通番２５は縦方向に斜めの状態で反射する。そして第２反射面２４ｃには通番２５は横方向に斜めの状態で反射し、目視面２４ｄには横方向の正立状態に映る。したがって係員は、図４に示す窓部２７を通して通番２５を横方向に正立状態で目視することができる。
【００２１】
次に第１の実施の形態の動作を説明する。通常、券発行装置２１の待機状態においては、ロール紙１２の先端部１２ａは、図１におけるカッタ部４の近傍で印字面１２ｃが装置２１の内側に対向して位置している。そして印字面１２ｃはプリズム２４に対向して設けられているが、このとき印字面１２ｃに印刷された通番２５は図４に示すように、縦長で横向きになっている。しかしながら、通番２５は装置２１の窓部２７から覗いた場合、図５に示すように、横長の正立状態で目視することができる。
【００２２】
以上のように第１の実施の形態では、ロール紙１２の先端部１２ａに対向する位置と装置２１の窓部２７との間にプリズム２４を設けたので、窓部２７を覗くことによりロール紙１２に印刷してある通番２５を目視することが可能になる。しかも目視できる状態では通番２５が正立状態になっているので、係員は通番２５をより容易に確認しやすくなる。
【００２３】
図７は第２の実施の形態の要部を示す概略側面図である。図７において、第２の実施の形態の券発行装置には、第１の実施の形態と同様にロール紙１２の先端部１２ａに対向してプリズム２４が設けられており、さらに照明手段として２個の発光ダイオード３１、３２が設けられている。発光ダイオード３１、３２は、ロール紙１２とプリズム２４の間に上下に配設され、ロール紙１２の印字面１２ｃ（通番が印刷されている面）に対して光を照射する。その他の構成は第１の実施の形態と同様である。
【００２４】
発光ダイオード３１、３２は常時発光するようにしてもよい。発光ダイオード３１、３２が発光することにより、通番が印刷されているロール紙１２の印字面１２ｃが明るくなるので、係員が窓部２７から通番２５を目視する際に、通番２５の読み取りがさらに容易になる。
【００２５】
発光ダイオード３１、３２をオン／オフ制御するようにしてもよい。即ち、装置の窓部２７に開閉可能な扉を設け、扉の開閉に連動して動作し、発光ダイオード３１、３２をオン／オフ制御するスイッチを設けるようにしてもよい。また券発行装置の操作部にオン／オフ制御するスイッチを設けてもよいし、さらには券発行装置の上位インタフェースに予め発光ダイオード３１、３２の発光コマンドを用意しておき、このコマンドで発光させるようにしてもよい。
【００２６】
照明手段は発光ダイオードに限定されるものではなく、他の発光体でも良いことはもちろんである。さらに照明手段を可視光発光源とし、ロール紙１２の残量に応じて発光色を変えるようにしてもよい。この場合は、例えば、黒色で印刷されている通番２５に対して、ロール紙１２の残量が十分あるときは発光色を黄色系とし、ロール紙１２の残量が少なくなると発光色を赤系に切り替えるようにする。なおこの場合のロール紙１２の残量検知は公知の手段を用いる。例えば、ロール紙１２を所定量引き出したときにロール部の回転量に基づいて残量を検知することができる。このように、ロール紙１２の残量に応じて発光色を変えることにより、係員は窓部２７を覗くだけでロール紙１２のおおよその残量を把握することができる。
【００２７】
本発明は上記実施の形態に限定されるものではなく、種々の変形が可能である。例えば、ロール紙１２の印字面１２ｃの対向位置と窓部２７との間に設けたプリズム２４の形状は上記実施の形態のものに限定されるものではなく、印字面１２ｃと窓部２７との相対的位置関係により形状を決定すればよい。また印字面１２ｃと窓部２７との間にプリズム以外の光通路を形成するようにしても良い。例えば、１つ又は複数のミラーを配置して通番２５の反射光を窓部２７に導くようにしてもよいし、光ファイバーのような曲折可能な光通路を用いるようにしてもよい。
【００２８】
さらに、ロール紙１２の印字面１２ｃに対向する位置と窓部２７との間に視界を遮る部材が存在しないならば、特別に光通路を設けることなく、窓部２７からロール紙１２の印字面１２ｃを直視できるようにすればよい。この場合、窓部を印字面１２ｃに対向する位置の正面に設けるとより容易に目視可能となる。必要ならば照明を設けるとよい。
【図面の簡単な説明】
【００２９】
【図１】第１の実施の形態の券発行装置を示す概略構成図である。
【図２】通番が印刷されたロール紙を示す説明図である。
【図３】通番が印刷されたロール紙を示す拡大図である。
【図４】プリズムおよびロール紙を示す斜視図である。
【図５】プリズムにおける反射状態を示す説明図である。
【図６】プリズムの三面図である。
【図７】第２の実施の形態の要部を示す概略側面図である。
【図８】従来の券発行装置を示す概略構成図である。
【図９】従来の磁気化券を発行する券発行装置を示す概略構成図である。
【符号の説明】
【００３０】
１２    ロール紙
１２ｂ  印刷面
２１    券発行装置
２４    プリズム
２５    通番
２７    窓部
３１、３２  発光ダイオード
【図１】
2007125805.tif 000003
【図２】
2007125805.tif 000004
【図３】
2007125805.tif 000005
【図４】
2007125805.tif 000006
【図５】
2007125805.tif 000007
【図６】
2007125805.tif 000008
【図７】
2007125805.tif 000009
【図８】
2007125805.tif 000010
【図９】
2007125805.tif 000011